(57)【要約】【課題】コレットレスにすることによって構造が比較的簡単でしかもコストが安価な差込み式管継手を提供する。【解決手段】継手本体１は軸心方向一端部に内外二重筒体５，６を有し、内筒体５は継手本体１と一体に形成され、外筒体６は、継手本体１とは別体に形成されて、内筒体５の外周との間に管差込み間隙１５を形成するよう継手本体１に結合される。内筒体５の外周にはシールリング溝１６を形成し、このシールリング溝１６に弾性シールリング２が嵌め込まれている。外筒体６の内部には、管Ｐの外周面に食い込む拡縮径変形自在な食込み歯１１を有する抜止めリング３が配備されている。内筒体５の外周の弾性シールリング２より軸方向外方部位と、外筒体６の内周の抜止めリング３より軸方向内方部位との間には、内径部に前方拡がり状のテーパ１７を付けたテーパ付リング４が管Ｐの一端部で押されるまま前端部を管差込み間隙１５の内奥へ向けて軸方向内方へ移動するように嵌め込まれている。【選択図】      図４
2004232692.tif 000002
【特許請求の範囲】
【請求項１】
継手本体に、弾性シールリング、抜止めリング、及びテーパ付リングを備えており、
前記継手本体は軸心方向一端部に内外二重筒体を有し、内筒体は継手本体と一体に形成され、外筒体は、継手本体とは別体に形成されて、内筒体の外周との間に管差込み間隙を形成するよう継手本体に結合されており、
前記内筒体の外周にはシールリング溝を形成し、このシールリング溝に、前記管差込み間隙内に挿入される管の外径よりも小さく、内径よりも大きい外径をもつ前記弾性シールリングが嵌め込まれており、
前記抜止めリングは、前記外筒体の内部に配備され、内径部に前記管の外周面に食い込む拡縮径変形自在な食込み歯を設けており、
前記テーパ付リングは内径部に前方拡がり状のテーパを付けており、このテーパ付リングが前記内筒体の外周の前記弾性シールリングより軸方向外方部位と、前記外筒体の内周の前記抜止めリングより軸方向内方部位との間に、前記管の一端部で押されるまま前端部を前記管差込み間隙の内奥へ向けて軸方向内方へ移動するように嵌め込まれていることを特徴とする、差込み式管継手。
【請求項２】
前記抜止めリングが管の挿入により押し開かれながら該管の外周面に食込む弾性を有する食込み歯を設けてあり、前記外筒体が樹脂材で成形されており、この外筒体に前記抜止めリングがインサート成形されている、請求項１記載の差込み式管継手。
【請求項３】
前記抜止めリングは線材からなって前記外筒体の内周の凹部に収容され、前記凹部の内周には、前記管が抜け出し方向に移動したときに前記抜止めリングに縮径方向の力を作用させる外窄まりテーパ状の押圧面が形成されている、請求項１記載の差込み式管継手。
【発明の詳細な説明】
【０００１】
【発明の属する技術分野】
本発明は、給湯・給水配管などに用いられ、管の一端部をシール状にかつ抜止め状に簡易迅速に差し込み接続できる差込み式管継手に関する。
【０００２】
【従来の技術】
この種の差込み式管継手として、継手本体の内部に、差し込まれる管の外周面に密接する弾性シールリングと、管の外周面に食い込む食込み歯を一体に形成したコレットとが組み込まれているものがある（例えば、特許文献１参照。）。また、継手本体の内部に、差し込まれる管の外周面に密接する弾性シールリング、及びコレットが組み込まれるが、管の外周面に食い込む爪部を有するロックリングはコレットと別体に形成されて組み込まれたものもある（例えば、特許文献２参照。）。
【０００３】
【特許文献１】
特開平１１−２３７７号公報
【特許文献２】
特開平１１−１１８０８１号公報
【０００４】
【発明が解決しようとする課題】
しかるに、コレットを組み込む上記差込み式管継手では、組立て工数が増え、構造が複雑になり、コスト高にもなる。
本発明の目的は、このような問題を解決するためになされたもので、コレットレスにすることによって構造が比較的簡単でしかもコストが安価な差込み式管継手を提供することにある。
【０００５】
【課題を解決するための手段】
本発明の差込み式管継手は、継手本体に、弾性シールリング、抜止めリング、及びテーパ付リングを備える。前記継手本体は軸心方向一端部に内外二重筒体を有し、内筒体は継手本体と一体に形成され、外筒体は、継手本体とは別体に形成されて、内筒体の外周との間に管差込み間隙を形成するよう継手本体に結合されている。前記内筒体の外周にはシールリング溝を形成し、このシールリング溝に、前記管差込み間隙内に挿入される管の外径よりも小さく、内径よりも大きい外径をもつ前記弾性シールリングが嵌め込まれている。前記抜止めリングは、前記外筒体の内部に配備され、内径部に前記管の外周面に食い込む拡縮径変形自在な食込み歯を設けている。前記テーパ付リングは内径部に前方拡がり状のテーパを付けており、このテーパ付リングが前記内筒体の外周の前記弾性シールリングより軸方向外方部位と、前記外筒体の内周の前記抜止めリングより軸方向内方部位との間に、前記管の一端部で押されるまま前端部を前記管差込み間隙の内奥へ向けて軸方向内方へ移動するように嵌め込まれているものである。
【０００６】
一つの好適な態様として、本発明による差込み式管継手は、上記抜止めリングは管の挿入により押し開かれながら該管の外周面に食込む弾性を有する食込み歯を設け、上記外筒体は樹脂材で成形し、この外筒体に上記抜止めリングをインサート成形することができる。また、上記抜止めリングは線材からなって上記外筒体の内周の凹部に収容し、上記凹部の内周には、管が抜け出し方向に移動したときに上記抜止めリングに縮径方向の力を作用させる外窄まりテーパ状の押圧面を形成することもできる。
【０００７】
上記構成の差込み式管継手によれば、管の一端部を管差込み間隙内に挿入するに伴い、テーパ付リングが管差込み間隙の内奥へ向けて軸方向内方へ押し込まれ、そのテーパ付リングのテーパで弾性シールリングが圧縮されながら内筒体のシールリング溝内に押し込まれるため、予め管の一端部の内周を面取り加工していなくても該管は弾性シールリングに突っ掛かることなくスムーズに挿入される。
【０００８】
継手本体の管差込み間隙内に管の一端部を挿入すると、弾性シールリングにて管の内周面と内筒体の外周面との間がシールされ、抜止めリングの食込み歯が管の外周面に食い込む。これにより管が継手本体の管差込み間隙から抜け出るのを防止できる。
【０００９】
抜止めリングは外筒体にインサート成形することにより両者を予め一体化してあると、継手本体に対し外筒体を結合すると同時に抜止めリングの組付け状態が得られるため、抜止めリングの煩わしい組付け手数を省略することができる。
【００１０】
抜止めリングは線材からなって外筒体の内周の凹部に収容し、凹部の内周には、管が抜け出し方向に移動したときに抜止めリングに縮径方向の力を作用させる外窄まりテーパ状の押圧面を形成しておくと、管が抜き出し方向に引っ張られると、管と共に同一方向に移動する抜止めリングの外周面が外筒体の押圧面と当接することにより抜止めリングが縮径し、この縮径により管の外周面への食込み歯の食込みが増して管の確実な引抜き阻止力が得られる。
【００１１】
【発明の実施の形態】
本発明の好適な実施形態を図面に基づき説明する。図１は第１実施例の差込み式管継手の半欠截断面図、図２は差込み式管継手に組み込まれる抜止めリングの正面図、図３は図２におけるＡ―Ａ線断面図、図４は管を最も深く差込んだ状態の半欠截断面図である。
【００１２】
（第１実施例）
図１において、差込み式管継手は、継手本体１に、弾性シールリング２、抜止めリング３、及びテーパ付リング４を備える。
【００１３】
継手本体１は青銅鋳物等で筒状に形成されており、その軸心方向一端部に内外二重筒体５，６を有する構造としてある。そのうち、内筒体５は継手本体１と一体に形成されるが、外筒体６は、継手本体１とは別体に樹脂成形されて、その一端部内周に、継手本体１の外周に設けた雄ねじ７にねじ込まれる雌ねじ８を設けている。なお、継手本体１の軸心方向他端部の外周には雄ねじ９を切っており、この雄ねじ９には、図示しない雌ねじ付きの水栓やエルボなどがねじ込み接続される。
【００１４】
抜止めリング３はステンレス製品であって、図２、図３に示すように、皿形断面の内径部に割り溝１０を円周方向に等間隔に入れて弾性を有する拡縮径変形自在な食込み歯１１を列設している。この抜止めリング３は外筒体６にインサート成形される。このインサート成形に際しては、例えば、予め全体が円筒状にかつ一端部の内周に食込み歯逃がし用のテーパ１２を付けた形に樹脂成形したスペーサー１３を用意し、このスペーサー１３の一端部の端面に抜止めリング３を重ね合わせるとともに、抜止めリング３の外側にリテーナー１４を重ね合わせた状態に金型内に保持したうえで、これらを外筒体６の射出成形すると同時に該外筒体６の内周に一体にインサート成形する。外筒体６およびスペーサー１３の樹脂材料には、例えば、ＰＰＳＵ（ポリフェニルサルフォン）、ポリカーボネート、ＡＢＳ樹脂等、耐熱性に優れる透明な樹脂を用いる。
【００１５】
そのインサート成形に際し、スペーサー１３を用いることによって食込み歯逃がし用のテーパ１２を有する形の外筒体６を簡単な金型構造で容易に射出成形できるが、必ずしもスペーサー１３を用いることなく、抜止めリング３を外筒体６にインサート成形することもできる。また、リテーナー１４は必ずしも必要ではない。
【００１６】
このように抜止めリング３を一体成形した外筒体６はこれの一端部の雌ねじ８を継手本体１の雄ねじ７にねじ込み結合することによって、外筒体６と内筒体５の外周との間に管差込み間隙１５が形成される。
【００１７】
内筒体５の外周にはシールリング溝１６を１本または２本以上（図示例では２本）設け、このシールリング溝１６に、管差込み間隙１５内に差し込まれるポリブテン管等よりなる樹脂製の管Ｐの外径よりも小さく、内径よりも大きい外径を持って管Ｐの内周面に密接するＯリング等よりなる弾性シールリング２が嵌め込まれる。この嵌め込みは、外筒体６を継手本体１に結合する前に行うことにより容易に行える。外筒体６は、弾性シールリング２の嵌め込み後に、継手本体１に結合される。
【００１８】
テーパ付リング４はナイロン等の樹脂成形品であり、この内径部に前端部から後方に向かって漸次窄まる前方拡がり状のテーパ１７を形成している。このテーパ付リング４は内筒体５の外周の弾性シールリング２より軸方向外方部位に位置するよう組み込まれる。
【００１９】
次に、上記構成の差込み式管継手の使用態様を説明する。現場施工において、先ず、管Ｐは所要長さに切断される。この切断された管Ｐの一端部は、図４に示すように、内外筒体５，６間の管差込み間隙１５内に挿入されるが、このとき管Ｐの一端部が抜止めリング３の食込み歯１１をテーパ１２の方向へ押し開きながら挿入される。この挿入に伴い管Ｐの一端部でテーパ付リング４が管差込み間隙１５の内奥方向へ押し込まれ、テーパ付リング４のテーパ１７が内筒体５のシールリング溝１６から突出している弾性シールリング２の外周部に当接し該リング２を圧縮させてシールリング溝１６内に押し込みながら通過する。したがって、予め管Ｐの一端部の内周を面取り加工していなくても該管Ｐは弾性シールリング２に突っ掛かることなくスムーズに挿入することができる。
【００２０】
管Ｐが継手本体１内に所定深さにまで挿入されると、管Ｐの内周面に弾性シールリング２が圧縮状に密接し、この弾性シールリング２により管Ｐの内周面と内筒体５の外周面との間がシールされるとともに、抜止めリング３の食込み歯１１が管Ｐの外周面に食い込んだ管Ｐの抜止め状態が得られる。
【００２１】
管Ｐが抜き出し方向に引っ張られると、管Ｐと共に同一方向に移動する抜止めリング３の内径部が縮径状に弾性変形して、管Ｐの外周面への食込み歯１１の食込みが増すため、管Ｐの管差込み間隙１５からの抜け出しが確実に阻止される。
【００２２】
かかる管Ｐの差込み接続状態から該管Ｐを継手本体１から取り外すときには、外筒体６の継手本体１の雄ねじ７との締付けを緩めて外筒体６を継手本体１から取り外すことによって管Ｐを継手本体１から取り外すことができる。
【００２３】
（第２実施例）
図５、図６は第２実施例を示す。この実施例では、抜止めリング３およびこの抜止めリング３の外筒体６への取付け方が第１実施例のそれらと相違し、そのほかの構成は第１実施例のものと同様であるため、同一部材、同一要素に同一符合を付してその説明を省略する。抜止めリング３はステンレス等の線材からなるものであって、これの内周に管差込み間隙１５内に差し込まれる管Ｐの外周面に食い込む食込み歯１１を設けており、抜止めリング３の円周一部は切離されて抜止めリング３全体が拡縮径変形可能に形成されている。
【００２４】
この抜止めリング３は外筒体６の内周に設けた凹部１８に収容され、この凹部１８内の軸方向外方側の内周面には、抜止めリング３に縮径方向の力を作用させる外窄まりテーパ状の押圧面１９が外筒体６の開口端に向かい窄まる形状に形成されている。外筒体６の内周に凹部１８を設ける手段としては、外筒体６にこれとは別体のスペーサー２０を内嵌し、このスペーサー２０の軸方向外方端面と外筒体６の押圧面１９との間に凹部１８を形成する。または、そのようなスペーサー２０を用いることなく、外筒体６の成形と同時に凹部１８を形成することもできる。
【００２５】
このように構成された差込み式管継手は、第１実施例の場合と同様に、管Ｐの一端部は、図６に示すように、内外筒体５，６間の管差込み間隙１５内に挿入されるが、このとき管Ｐの一端部が抜止めリング３を押し開きながら挿入される。この挿入に伴い管Ｐの一端部でテーパ付リング４が管差込み間隙１５の内奥方向へ押し込まれ、テーパ付リング４のテーパ１７が内筒体５のシールリング溝１６から突出している弾性シールリング２の外周部に当接し該リング２を圧縮させてシールリング溝１６内に押し込みながら通過する。
【００２６】
管Ｐが継手本体１内に所定深さにまで挿入されると、管Ｐの内周面に弾性シールリング２が圧縮状に密接し、この弾性シールリング２により管Ｐの内周面と内筒体５の外周面との間がシールされるとともに、抜止めリング３の食込み歯１１が管Ｐの外周面に食い込んだ管Ｐの抜止め状態が得られる。
【００２７】
管Ｐが抜き出し方向に引っ張られると、管Ｐと共に同一方向に移動する抜止めリング３の外周面が外筒体６の押圧面１９と当接することにより、抜止めリング３が縮径して、管Ｐの外周面への食込み歯１１の食込みが増す。このように抜止めリング３の外周面が外筒体６の押圧面１９と当接するとともに抜止めリング３の食込み歯１１が管Ｐの外周面に食い込むことにより、管Ｐの管差込み間隙１５からの抜け出しがより確実に阻止される状態となる。
かかる管Ｐの差込み接続状態から外筒体６の継手本体１の雄ねじ７との締付けを緩めることにより継手本体１から外筒体６及び管Ｐを取り外すことができることは第１実施例の場合と同様である。
【００２８】
本発明は、上記継手本体１が図示例のソケットタイプ以外に、エルボあるいはＴ型等である場合にも同様に適用できる。
【００２９】
【発明の効果】
本発明によれば、管の一端部をシール状にかつ抜止め状に簡易迅速に差し込み接続できるうえに、コレットの無い構造にしたためにその構造、組立てが簡単になり、コストも低減されるというものである。
【図面の簡単な説明】
【図１】第１実施例の差込み式管継手の半欠截断面図である。
【図２】図１の差込み式管継手に組み込まれる抜止めリングの正面図である。
【図３】図２におけるＡ―Ａ線断面図である。
【図４】管を最も深く差込んだ状態の半欠截断面図である。
【図５】第２実施例を図１に相応して示す差込み式管継手の半欠截断面図である。
【図６】図５の差込み式管継手を図４に相応して示す半欠截断面図である。
【符号の説明】
１  継手本体
２  弾性シールリング
３  抜止めリング
４  テーパ付リング
５  内筒体
６  外筒体
１１  食込み歯
１５  管差込み間隙
１６  シールリング溝
１７  テーパ付リングのテーパ
１８  凹部
１９  押圧面
【図１】
2004232692.tif 000003
【図２】
2004232692.tif 000004
【図３】
2004232692.tif 000005
【図４】
2004232692.tif 000006
【図５】
2004232692.tif 000007
【図６】
2004232692.tif 000008